Podtech/llm-jp-corpus-v4-ja_patent huggingface dataset:
(57)【要約】      （修正有）【課題】電話での通話を終了したい場合、相手方に不快な感情を抱かせることなく、会話の終了を告げる積極的なきっかけや理由を相手方に伝えられ、自然に通話の終了へ移行することができる手元チャイムを提供する。【解決手段】電子音発生装置であるが、当該装置に音声選択と音声発生のスイッチ、およびその選択表示部とスピーカーを設け、電子音による非常や異常状況である音声を発生し、かつ、その電子音を選択して自在に発生する手段を具えたことを特徴とする手元チャイムである。【選択図】図２
0003149027.tif 000002
【実用新案登録請求の範囲】
【請求項１】
電子音発生装置であるが、任意の場所にて操作し、チャイム音や幼児の泣き声など、実物と同様な音や声色を発生し、それらを状況に応じながら選択して作動させる手段を備えたことを特徴とする手元チャイム。
【考案の詳細な説明】
【技術分野】
【０００１】  本考案は、当該装置を電話器がある任意の場所に持ち運び、その手元で操作できる音や声色の電子音発生装置（以下「装置」と言う）に関するものである。
【背景技術】
【０００２】  長時間電話や不必要なセールス、さらには詐欺など、歓迎しない通話内容において、通話の終了または切断を要するが、そのきっかけや言い訳の積極的な手段がない。
【考案の開示】
【考案が解決しようとする課題】
【０００３】  不要であったり歓迎しない通話であっても、相手方に電話番号が知られていることにより、不快感を与える通話の終了や無碍な切断は難しい。
【課題を解決するための手段】
【０００４】  本考案は、固定電話や携帯電話の近くで当該装置を作動させ、あらかじめ用意してあるチャイム音や幼児の泣き声、電話の呼び出し音や動物の鳴き声など電子音の音や声色を選択して発生させることにより、歓迎しない電話に対して、擬似であるが受け手の切断しなければならない状況やきっかけを知らせることにより、自然に近い形で通話を終了に導ける。【０００５】  また、同一の相手方による複数回の電話に対しても当該装置の音や声色の内容を変化させ、より実態的な切断理由や状況を相手方に認識させることにより課題のすべてを解決している。
【考案の効果】
【０００６】  電話は受け手の状況に寄らず掛かってくる。その内容が不必要な場合や疑問を抱くもの、また思わぬ長電話になった場合など、本考案の装置を固定電話や携帯電話のある任意な場所において操作し、模擬であるが積極的にこちらの状況を理解してもらえるので、切断しにくい状況や疑問を感じながらの通話状況において、相手方に不快感を与えないように通話を終了する根拠として有効に役立つ。
【考案を実施するための最良の形態】
【０００７】  本装置を電話器の近い場所に置き、電話の内容が不必要や疑問を抱く場合、または思わず長時間電話になった場合など、受け手が通話を終了したい時において、本装置をその状況に適した音や声色を選択して音声発生ボタンを押すことにより選択された音や声色を発生するので、相手に不快感を与えず自然に通話を終了することとなる。
【実施例】
【０００８】  以下、図面に従って本装置と固定電話の場合における一実施例を説明する。１の本体を６の固定電話器の近くに置く、いずれにおいて電話の呼び出し音が鳴り、受話器を取って通話を開始する。その内容や状況は様々であるが、無碍に通話の終了や切断をすることのできない場合、応答しながら３の音声選択スイッチにより、その状況にふさわしい音や声色を選択する。【０００９】  ３の選択内容は、４の選択表示部に示されるので内容を確認して５の音声発生ボタンボタンを押す。その音や声色が２のスピーカーより発生し、６による受話器マイクを通して相手方に伝わるので、通話終了の積極的なきっかけや理由となり、不快感を与えずに切断する。
【産業上の利用可能性】
【００１０】  本考案は、不必要な通話時間の減少や犯罪防止に役立ち、社会的および産業上の利点は大きい。
【図面の簡単な説明】
【００１１】
【図１】  本考案における、電子音発生装置の一実施例を示す装置正面図である。
【図２】  本考案における、当該装置と固定電話の配置を示す一実施例である。
【符号の説明】
【００１２】１  本体                              ４  選択表示部
２  スピーカー                        ５  音声発生ボタン
３  音声選択ボタン                    ６  固定電話器
【図１】
0003149027.tif 000003
【図２】
0003149027.tif 000004
【手続補正書】
【提出日】平成20年12月10日(2008.12.10)
【手続補正１】
【補正対象書類名】実用新案登録請求の範囲
【補正対象項目名】全文
【補正方法】変更
【補正の内容】
【実用新案登録請求の範囲】
【請求項１】
電子音発生装置であるが、当該装置に音声選択と音声発生のスイッチ、およびその選択表示部とスピーカーを設け、電子音による非常や異常状況である音声を発生し、かつ、その電子音を選択して自在に発生する手段を具えたことを特徴とする手元チャイム。
(57)【要約】      （修正有）【課題】遠赤外線、マイナスイオンを放射し、脱臭性、抗菌性、防臭性、遠赤外線効果を備えることで、非衛生感、不快感を軽減することができる固形石鹸用泡立てネットを提供する。【解決手段】ネットが網目構造になっている固形石鹸用泡立てネットにおいて、この網目構造のネットの端部４が袋状に形成されており、この袋部に遠赤外線を放射するボール５及びトルマリン６を１個または複数個収納させてなる固形石鹸用泡立てネットである。【選択図】図１
0003149029.tif 000002
【実用新案登録請求の範囲】
【請求項１】
ネットが網目構造になっている固形石鹸用泡立てネットにおいて、この網目構造のネットの端部が袋状に形成されており、この袋部に遠赤外線を放射するボール及びトルマリンを１個または複数個収納させてなる固形石鹸用泡立てネット。
【考案の詳細な説明】
【技術分野】
【０００１】本考案は、固形石鹸を泡立てる固形石鹸用泡立てネットに関し、遠赤外線及びマイナスイオンを放射することができる固形石鹸用泡立てネットに関する。
【背景技術】
【０００２】固形石鹸を使用して、泡立て、得られた泡で身体を洗うと、泡が毛穴に入って汚れがよく落ちることから、固形石鹸の泡立て具として泡立てネットが使用される。【０００３】例えば、特許文献１に記載された洗顔用泡立てネットは、数ミリ程度の網目を有するポリエチレンのような合成樹脂を原料として筒状の一体成型プラスチックネットの両端を纏めて固定して内側に折り返し、一端に指挿通用リングをしたものであり、濡らしたネットを、固形石鹸に擦り付け両手の中で、もんだり広げたりして細かい泡を作ってネットをしごいて泡を手のひらにとり、泡を顔に付けて洗顔するものである。
【特許文献１】  特開平１０−２７６９２８号公報
【考案の開示】
【考案が解決しようとする課題】
【０００４】しかしながら、従来の洗顔用泡立てネットは、使用後、部材を使って吊り下げられるが濡れたまま湿気の多い浴室内で放置されるため、カビ、菌の繁殖など非衛生的な感じとなっていた。【０００５】また、使用前に冷たい感じの不快感があった。【０００６】そこで、本考案は、非衛生感、不快感を軽減することができる固形石鹸用泡立てネットを提供するものである。
【課題を解決するための手段】
【０００７】本考案の固形石鹸用泡立てネットは、遠赤外線を放射するボール及びトルマリンを指挿通用リングの下部に、ネットで包み込むことで遠赤外線、マイナスイオンを放射できることを特徴とする。
【考案の効果】
【０００８】本考案の固形石鹸用の泡立てネットは、遠赤外線を放射するボール及びトルマリンを内包することで、遠赤外線、マイナスイオンを放射し、脱臭性、抗菌性、防湿性、遠赤外線効果を備えることができる。【０００９】これにより、使用前の非衛生感、不快感を軽減することができる。
【考案を実施するための最良の形態】
【００１０】本考案の実施例について、図を参照して説明する。
【実施例】
【００１１】図１は、本考案の泡立てネットに、遠赤外線を放射するボール及びトルマリンを内包した状態を指す正面図、図２、図３は、遠赤外線を放射するボール及びトルマリンを泡立てネットの上部に内包形成した、本考案の泡立てネットの形成プロセスを示す図である。【００１２】図１において、固形石鹸用泡立てネット（以下「泡立てネット」という）１は伸縮性を有するネット、例えば、伸縮性を有するポリエチレンの積層ネットよりなる。纏められた端部には、泡立てネット１を壁に固定されたフックにかけるためのリング状の紐４が設けられる。【００１３】図２において泡立てネット１は、二重のネットを積層した積層ネットで形成する。二重ネットにすることにより外側ネットと内側ネットがすりあって空気と固形石鹸の混合が促進され泡立ちがよくなる。また、伸縮性ネットを使用することにより、泡立てネットはもみやすくなる。【００１４】図２に示すように、ネット上部の端部４に遠赤外線を放射するボール５とトルマリン６を内包し、絞りリング８、９で縛って、リング状にした紐の端を挟んだ後、端部４を絞りリング３で縛る。【００１５】次いで、図２に示すように紐７を表に出し、二重ネットを裏返すことにより遠赤外線を放射するボール５と、トルマリン６を備えた泡立てネットが完成する。【００１６】上記工程により完成した本考案の泡立てネットは、常に遠赤外線およびマイナスイオンを放射し、脱臭性、抗菌性、防湿性、遠赤外線効果を備えることができる。【００１７】それにより、非衛生感、不快感を軽減し、洗顔具として、清潔感を醸し出すとともに、肌にやさしい洗顔用具となる。
【図面の簡単な説明】
【００１８】
【図１】本考案に係る固形石鹸用泡立てネットの正面図である。
【図２】本考案に係る固形石鹸用泡立てネットの形成プロセスを示す図である。
【図３】本考案に係る固形石鹸用泡立てネットの部品図である。
【符号の説明】
【００１９】  １：泡立てネット
２：絞りリング
３：絞りリング
４：泡立てネットの端部
５：遠赤外線を放射するボール
６：トルマリン
７：紐（ネット吊り下げ部材）
８：絞りリング
９：絞りリング
【図１】
0003149029.tif 000003
【図２】
0003149029.tif 000004
【図３】
0003149029.tif 000005
(57)【要約】【課題】  建築・建設現場において、墨出し作業に熟練技術者を必要とせず容易に正確なケガキの作業をするための、位置を明示するシステムを提供する。【解決手段】  設計図面データを記憶させた記録媒体と、それを演算処理する演算装置と、その演算した結果をデータ信号でレーザー照射装置の水平回転機構および垂直回転機構に送り出す装置、およびその信号を受けて、図面内の各種データーを直接、現場内にレーザー光で照射するレーザー照射装置からなる。【選択図】図１
0003149028.tif 000002
【実用新案登録請求の範囲】
【請求項１】
設計図面データを記憶させた記録媒体、それを演算処理する演算装置と、その演算した結果をデータ信号で送り出し設計図面上の各種データを直接、現場内にレーザー光を用いて照射するレーザー照射装置からなる、墨出し位置明示システム。
【考案の詳細な説明】
【技術分野】
【０００１】この発明は、建築・建設現場内に於いて、たとえばパーソナルコンピューターの記録媒体内に納められた設計図面（立面・平面・伏図他）データを演算処理し直接現場の床・壁・天井にレーザー光を照射して、その正確な位置を明示して、墨出しを熟練作業者以外でも容易に行えるようにするものである。
【背景技術】
【０００２】従来、建築・建設現場では、設計図の位置を正確に現場内でケガクために、たとえば、トランシット・水平機などを使用して墨出しをするだけであった。
【考案の開示】
【考案が解決しようとする課題】
【０００３】墨出しを正確に行うケガキ作業には、熟練技術者による大変な労力と時間を費やす必要があった。また、環境が悪い現場内で作業を行うため、計算ミスや目視の間違いをして、後々の作業全般のやり直しが多く発生し正確性の懸念と無駄があった。
【課題を解決するための手段】
【０００４】設計図面データを記憶させた記録媒体と、それを演算処理する演算装置とその演算した結果をデータ信号でレーザー照射装置の水平回転機構及び垂直回転機構に送り出す装置、およびそのデータ信号を受けてレーザー照射装置を水平方向及び垂直方向に回転させて図面内の各所データを直接現場内にレーザー光を現寸照射するレーザー照射装置からなる。
【考案の効果】
【０００５】設計された図面データ、たとえばＣＡＤ図面を直接演算装置を用いて現場内に照射するため、悪質な環境下での作業条件が強いられる現場での墨出し時に人的な計算ミスが発生しない。また、建築・建設図面を記録媒体に記憶させているので何時でも必要なときに瞬時に墨出しに必要な箇所をレーザー光を使用して明示できるので、大きな省力化ができると同時に作業時間の短縮もできるので経済的にも大幅なコストダウンもできる。
【考案を実施するための最良の形態】
【０００６】設計図面データを記憶させた記録媒体（１）と、それを演算処理する演算装置と、その演算した結果を信号でレーザー照射装置の水平回転機構および垂直回転機構に送り出す装置（２）、およびその信号を受けて、レーザー照射装置を水平方向と垂直方向に回転させて設計図面上の各種データを直接、現場内にレーザー光を照射するレーザー照射装置（３）からなる。この場合に前記（１）及び（２）が一体化しているパーソナルコンピューターも含む。現場内では設計図面上のケガキを必要とする部分のデータを瞬時にレーザー光を用いて明示して墨だし作業を容易に行う。例としてパーソナルコンピューターにインストールしたＣＡＤ図面描画ソフトにて書き起こした平面図や立面図のデーターを、現場の基準点に設置した本装置に接続されたパーソナルコンピューターに読み込ませ、データーをＸ軸、Ｙ軸、Ｚ軸に変換させ数値化したものを主装置であるレーザー照射装置へ送信すると軸系列にしたがい、目標箇所に向かい自動的に位置を算出し、レーザー光線を照射するものである。
【図面の簡単な説明】
【０００７】
【図１】システム全体の立面図
【図２】システム全体の平面図
【符号の説明】
【０００８】  １記録媒体
２演算装置
３レーザー照射装置
【図１】
0003149028.tif 000003
【図２】
0003149028.tif 000004
(57)【要約】【課題】積雪寒冷地域に建つ木造建築物が受ける積雪、雪氷による凍害、側圧加重の害を防ぎ、更に土中基礎構造体周囲の排水を促すことにより、建物全体の耐久性向上を目的とする。【解決手段】基礎構造体を、ひな壇形状を用いる厚く頑丈な布基礎とし、基礎天端を該地域の積雪平均高さまで嵩上げし、さらに暗渠を上下二段に埋設し土中の排水を行うものである積雪寒冷地用基礎構造体とする。【選択図】図１
0003149041.tif 000002
【実用新案登録請求の範囲】
【請求項１】
建築物外周囲の布基礎天端を、積雪地域の積雪平均高さに準じた高さまで嵩上げするひな壇形コンクリート製基礎構造体とし、地中埋設部分の基礎構造体下部の砕石上及び、基礎構造体外側のひな壇上にパイプ状暗渠の敷設を行い、基礎構造体周囲の排水を促すことを特徴とする積雪寒冷地用基礎構造体。
【考案の詳細な説明】
【技術分野】
【０００１】本考案は、積雪寒冷地における住宅建築に関する布基礎構造体である。
【背景技術】
【０００２】住宅建設は積雪が多い、少ない地域に関わらず建築基準法に則り全国一律に行われ、積雪量が多い地域の住宅では外壁の一部が積雪の中に埋まる状態となり、積雪による側圧荷重、雪氷による外壁の凍害、建材構造材の湿潤の増幅等による建築物の傷み歪み等、木造住宅建築物の耐久性に問題を呈している。
又、融雪水の地中浸透の影響による地中内基礎構造体周囲での土砂流失が発生し、其れによる地盤の陥没等があり基礎構造体の安定に影響を与えている。
【考案の開示】
【考案が解決しようとする課題】
【０００３】積雪寒冷地の住宅建設で通常行われている布基礎形状はＴ型形状其の他であるが、天端高さは地表から４５センチ前後で施工されている。多積雪地域において積雪高さがコンクリート製の基礎天端部を上回り外壁仕上げ材を被る域に及んでいる事象により、積雪及び雪氷によって建築物構造体及び外壁が凍害、側圧加重により損傷する事態が生じている。更に融雪水、雨水の地中浸透による地中内基礎構造体周囲の土砂流失と床下浸水が発生しており、それらの問題解消が課題である。
【課題を解決しようとする手段】
【０００４】積雪寒冷地域の住宅建設で行なう布基礎構造体を更に堅牢な物体とするため特に、該建築物外周囲の基礎構造体にコンクリートの厚みと強度を加味するひな壇形基礎構造体を用い、更に建築物外周囲部の基礎天端を該地域の平均積雪高さに準じる一定の高さに嵩上げする事で、通常構造材及び外壁材が受ける積雪、雪氷による凍害及び側圧荷重を、鉄筋コンクリート造りの建築物外周囲基礎構造体部分が受け持つ事による、積雪被害を軽減するものである。
更に、地中内の外周側基礎構造体の外部側に上下二段配置とする暗渠の敷設を行い、地表からの浸透水、地中からの湧水の排出を促し、基礎構造体周囲の土砂流失を抑え水の床下浸入を阻止するものである。
【考案の効果】
【０００５】１  住宅構造体の耐久、経済性の確保。
２  住まいと生活の、安心と安全の確保。
【実施例】
【０００６】以下、図面に示す実施例に従って本考案の実施態様について説明する。
図１及び図２において、建築物外周側のコンクリート製ひな壇形基礎構造体１の断面及び、内部側基礎６の断面を示し形状の違いを表しており、外周側基礎１の内
0003149041.tif 000003
ルト貫通孔１５を通る引き寄せ金物１６で大引き材７を引き寄せ、大引き材７を
0003149041.tif 000004
引き材７を安定させる。又大引き材７の切り口及び仕口部は、根巻き金物などの金属板を付帯させるものとし、大引き７の上に一階床面８を造作するものであり、必ずしも基礎天端より上方に一階床面８が造作されるものではない。
暗渠２は基礎体下面の砕石１２の上及び、ひな壇形一段目の上部平盤上に配するものであり水の床下侵入を防ぎ、床下天井高さに余裕を持たせ床下の有効利用をするものであり、又ひな壇形基礎部１の外部、内部共の側面に断熱材を施すものである。
参考として、ひな壇形基礎構造体の構築に当たるポイントとする地表面５、平均積雪高さライン４及び凍結深度ライン１１を示すものである。
【図面の簡単な説明】
【０００７】
【図１】建築物外周部ひな壇形基礎構造体断面図および内部基礎の断面図を示す。
【図２】ひな壇形基礎構造体全体としての、収まり状況を示す斜視図。
【符号の説明】
【０００８】１  外周部ひな壇形基礎構造体。
２  パイプ型暗渠。
0003149041.tif 000005
４  積雪平均高ライン。
５  地表面ライン。
６  内部基礎。
７  大引き又は根太。
８  一階床面。
９  土台。
１０  柱。
１１  積雪寒冷地における地盤凍結深度ライン。
１２  砕石。
１３  断熱材。
１４  床下地盤面。
１５  ボルト貫通孔。
１６  引き寄せ金物。
【図１】
0003149041.tif 000006
【図２】
0003149041.tif 000007
(57)【要約】      （修正有）【課題】シールコテと送りモーターをヒーター受け板で覆う構造の薬剤自動分包機において、分包紙に線を引くための筆記具が紙づまりの原因となることなく、さらに筆記具の固定位置の調整不要な固定装置を提供する。【解決手段】筆記具を固定する板１に、筆記具の直径よりも僅かに大きい直径の円形の穴を開ける。そこに筆記具の直径よりも僅かに大きい直径の円形の穴を開けた磁石２を、穴を合わせて接着した固定穴と、ボルト５で筆記具３を固定するためのネジ山を切った筆記具の直径よりも僅かに大きい直径の円形の穴を有する中空円柱形の鉄製保持具部４と、を備えた筆記具の固定器具を構成する。【選択図】図１
0003149049.tif 000002
【実用新案登録請求の範囲】
【請求項１】
（イ）筆記具を固定する板に、筆記具の直径よりも僅かに大きい直径の円形の穴を開ける。そこに筆記具の直径よりも僅かに大きい直径の円形の穴を開けた磁石を、穴を合わせて接着する。
（ロ）筆記具の直径よりも僅かに大きい直径の円形の穴を有する中空円柱形の鉄製保持具を、筆記具に装着する。保持具にはボルトで筆記具を固定するためのネジ山を切る。
以上のごとく構成された筆記具の固定器具。
【考案の詳細な説明】
【技術分野】
【０００１】  この考案は、薬剤自動分包機において分包紙に線を引く筆記具の固定に関するものである。
【背景技術】
【０００２】  薬局において薬剤自動分包機で薬剤を分包した分包紙に筆記具を用いて線を引いて、兄弟姉妹の区別や薬剤の区別をわかりやすくする作業は行われてきたが、手書き作業のため時間がかかっていた。また、磁石を使って筆記具を固定する器具もあった。従来、筆記具を固定する器具は、紙送りモーターより後ろに筆記具を固定していた。
【考案の開示】
【考案が解決しようとする課題】
【０００３】  薬剤自動分包機は、ホッパーから分包紙内に薬剤を投入し、ヒーターで熱せられたシールコテとヒーター受け板の間に分包紙を挟み、熱と圧力により圧着する。最後に紙送りモーターにより搬出させる工程を経て薬剤を分包紙内に分包する。
従来の磁石を使った筆記具を固定する器具では、薬剤自動分包機がシールコテと紙送りモーターをヒーター受け板で覆う構造であるため、筆記具の固定位置が紙送りモーターより後ろにあり、これは次のような欠点があった。
（イ）筆記具の固定位置が紙送りモーターより後ろにあり、紙づまりの原因となることが多かった。
（ロ）筆記具の固定位置の決定を、毎回手作業で行うため、位置の調整に時間がかかった。
本考案は、この欠点を除くためになされたものである。
【課題を解決するための手段】
【０００４】  筆記具を固定する板に、筆記具の直径よりも僅かに大きい直径の円形の穴を開ける。そこに筆記具の直径よりも僅かに大きい直径の円形の穴を開けた磁石を、穴を合わせて接着した固定穴と、ボルトで筆記具を固定するためのネジ山を切った筆記具の直径よりも僅かに大きい直径の円形の穴を有する中空円柱形の鉄製保持具部と、を備えた筆記具の固定器具を考案した（図１）。この筆記具の固定器具により、筆記具を固定する位置を紙送りモーターよりも前にできるため、紙づまりすることなく、分包紙に線を引くことができる。
【考案の効果】
【０００５】  この筆記具の固定器具により、筆記具を固定する位置を紙送りモーターよりも前にできるため、紙づまりすることがない。さらに、筆記具を固定する位置は、固定穴に筆記具を挿入することにより決まり、挿入と同時に磁石により筆記具が固定されるので、筆記具の脱着が簡便である。
【考案を実施するための最良の形態】
【０００６】  以下、本案の実施の形態について説明する。
（イ）  ヒーター受け板（１）に筆記具（３）を固定する穴を開ける。これは筆記具の直径よりも僅かに大きい穴である。位置はシールコテの当たらない位置で、筆記具を挿入したとき、筆記具（３）の先端が分包紙の上部に当たる位置がよい。
（ロ）  筆記具の直径よりも僅かに大きい穴を開けた磁石（２）をヒーター受け板（１）に開けられた穴と、穴を合わせて接着する。
（ハ）  鉄製保持具（４）に筆記具（３）に挿着する。筆記具（３）の先端が分包紙に適度に当たる位置に調整し、ボルト（５）で固定する。
本案を使用するときは、ヒーター受け板（１）および磁石（２）の穴に、鉄製保持具（４）の挿着された筆記具（３）を挿着した状態で、薬剤自動分包機による分包を開始する。
【図面の簡単な説明】
【０００７】
【図１】本考案の斜視図である。
【図２】鉄製保持具の斜視図である。
【符号の説明】
【０００８】  １  ヒーター受け板    ２  磁石    ３  筆記具    ４  鉄製保持具    ５  ボルト
【図１】
0003149049.tif 000003
【図２】
0003149049.tif 000004
(57)【要約】      （修正有）【課題】木造建築物の壁面構造に使用される壁パネルに関し、施工現場に於いて正確な取り付け作業が容易にできる壁パネルを提供する。【解決手段】壁パネルは、木造建築物の壁面構造に使用される壁パネルであって、芯材を組み付けてなる枠体２とこの枠体２に張り付けられた面材１とから成り、該壁パネル周縁部の枠体２に、予め、軸組に取り付けする際の基準となる正確な釘打ち位置を示す目印線が印されていることを特徴とする。【選択図】図１
0003149046.tif 000002
【実用新案登録請求の範囲】
【請求項１】
木造建築物の壁面構造に使用される壁パネルであって、芯材を組み付けてなる枠体とこの枠体に張り付けられた面材とから成り、該壁パネル周縁部の枠体に、予め、軸組に取り付けする際の基準となる正確な釘打ち位置を示す目印線が印されていることを特徴とした壁パネル。
【考案の詳細な説明】
【技術分野】
【０００１】  本考案は、木造建築物の壁面構造に使用される壁パネルに関する。
【背景技術】
【０００２】  従来より、建物の壁面構造を向上させるために様々な提案がなされている。耐震強化を目的とした壁パネルの取り付けもその一つで、補強工事等としても広く一般に実施されている。
【考案の開示】
【考案が解決しようとする課題】
【０００３】  しかしながら、壁パネルの取り付けには施工基準を満たすための高度な技術や経験を要するため、技術の低い者や未経験者が施工した際、本来有する性能を発揮できない不具合が生じるなどの問題点を有していた。【０００４】本考案は、上記従来有する問題点に鑑み、木造建築物の壁面構造に使用される壁パネルに関し、高度な技術や経験を要することなく、施工現場に於いて正確な取り付け作業が容易にできる壁パネルを提供しようとするものである。
【課題を解決するための手段】
【０００５】  本考案の壁パネルは、木造建築物の壁面構造に使用される壁パネルであって、芯材を組み付けてなる枠体２とこの枠体２に張り付けられた面材１とから成り、該壁パネル周縁部の枠体２に、予め、軸組に取り付けする際の基準となる正確な釘打ち位置を示す目印線３が印されていることを特徴とした。
【考案の効果】
【０００６】  本考案によれば、予め壁パネル周縁部の枠体に、取り付け基準となる正確な釘打ち位置を示す目印線が印されていることから、現場での高度な技術や複雑な作業を要しない壁パネルの取り付け施工が期待できる。
【考案を実施するための最良の形態】
【０００７】  以下、本考案の実施の形態について、図面を参照して説明する。
図１および図２に示すように、本考案の壁パネルは、木造建築物の壁面構造に使用される壁パネルであって、芯材を組み付けてなる枠体２とこの枠体２に張り付けられた面材１とから成り、該壁パネル周縁部の枠体２に、予め、軸組に取り付けする際の基準となる正確な釘打ち位置を示す目印線３が印されていることを特徴として、木造建築物の軸組に固定して壁面構造に用いられる。
【図面の簡単な説明】
【０００８】
【図１】  本考案に於ける壁パネルの背面図である。
【図２】  図１のＡ−Ｂ矢視断面図である。
【符号の説明】
【０００９】１    面材
２    枠体
３    目印線
【図１】
0003149046.tif 000003
【図２】
0003149046.tif 000004
(57)【要約】      （修正有）【課題】車体側面に、フック金具付き吸盤を設置し、タープの一端側をフック金具付き吸盤のフックに取り付けて、タープを簡単に設営出来るフック金具付き吸盤を提供する。【解決手段】フック金具３の芯棒６に伸縮材２を設け、吸盤１に取り付けて、車体７面にフック金具３をタープ８に掛け、タープが簡単に張れるようにした、又、フック金具付き吸盤の特徴は、車体７の平らな面を利用して、吸盤１で固定する事にあるが、吸盤１の吸引力も限界があり、引っ張られる力を成るべく直接受けないで、柔らげる為に伸縮材２で調整出来るようにする。【選択図】図２
0003149042.tif 000002
【実用新案登録請求の範囲】
【請求項１】
フック金具の芯棒に伸縮材を設け、吸盤に取り付たフック金具付き吸盤。
【考案の詳細な説明】
【技術分野】
【０００１】  本考案は、車両の側方における日よけや雨よけとして使用される車両用タープに関係するものである。
【背景技術】
【０００２】  一般にテントやタープの設営は面倒である。
【考案の開示】
【考案が解決しようとする課題】
【０００３】  本考案は以上の実情に鑑みて開発したものであって、目的とするところは、通常のタープの設営より、容易に作業が出来る事を提供することにある。
【問題を解決するための手段】
【０００４】前記した目的を達成するためには、車体側に、フック金具付き吸盤を取り付けて、タープの一端側をフックに掛け、他端側を外側に引っ張った状態にして、支持ポールで支持し、タープが簡単に張れるようにした。
【考案の効果】
【０００５】車体の平らであることを利用し、車体の側面にフック金具を吸盤に取り付けて、簡単にタープやテントをフックに掛けて、通常のタープの設営より、容易に作業が出来る。
【考案を実施するための最良の形態】
【０００６】フック金具（３）の芯棒（６）に伸縮材（２）を設け、吸盤（１）に取り付けて、車体（７）面に吸盤（１）の接する方に、フック金具（３）にタープ（８）を掛け、タープ（８）が簡単に張れるようにした、又、フック金具付き吸盤の特徴は、車体（７）の平らであることを利用して、吸盤（１）で固定する事にあるが吸盤（１）の吸引力も限界があり、引っ張られる力を成るべく直接受けないで、柔らげる為に伸縮材（２）で調整出来るようにした。
【図面の簡単な説明】
【０００７】
【図１】実施形態を示す詳細図
【図２】フック金具付き吸盤の断面詳細図
【図３】フック金具付き吸盤の姿図
【符号の説明】
【０００８】  ▲１▼吸盤
▲２▼伸縮材
▲３▼フック金具
▲４▼支持ポール
▲５▼本体カバー
▲６▼芯棒
▲７▼車体
▲８▼タープ
【図１】
0003149042.tif 000003
【図２】
0003149042.tif 000004
【図３】
0003149042.tif 000005
(57)【要約】      （修正有）【課題】使い捨ての感染防護衣を身に付ける職務の識別の為に、感染防護衣の上から身に付ける安価な使い捨てのベストを提供する。【解決手段】不織布等の低価格の材料を用いた長方形状体の中心に、円周５５ｃｍ以上の開口部１を設ける。そしてその開口部１から長方形状体の両短辺にむけて点線状に穴を設けた切り取り線２を設ける。また、点線状線の穴の大きさは長方形状体に使われる素材や厚みによって適宜調整し、手で点線を破けるように設ける。そして長方形状体の表面には職務内容を印刷し表示する。【選択図】図１
0003149043.tif 000002
【実用新案登録請求の範囲】
【請求項１】
中心に開口部（１）を設けた長方形状体に、開口部（１）から長方形状体の短辺に点線状に穴を設けた切り取り線（２）を設けたベスト。
【考案の詳細な説明】
【技術分野】
【０００１】  本考案は、使い捨ての感染防護衣を身に付ける職務の識別の為に、感染防護衣の上から身に付ける使い捨てのベストに関する。
【背景技術】
【０００２】  従来、表示用ベストはゼッケンタイプの物や反射材の付いた交通安全用ベストなどあった。また、使い捨ての物では不織布でできた飲食店向けの前掛けがあった。しかし、感染防護衣用のベストは無かった。
【考案の開示】
【考案が解決しようとする課題】
【０００３】  これには次のような欠点があった。
（イ）ゼッケンタイプのベストや交通安全用のベストは高額なため使い捨て用途には不向きである。
（ロ）使い捨ての前掛けは後部分が無い。
（ハ）ゼッケンタイプの物などは被って着るので、脱ぐ際に顔に触れる可能性が高い。
本考案は、これらの欠点を除くためになされたものである。
【課題を解決するための手段】
【０００４】  不織布等の低価格の材料を用いた長方形状体の中心に、円周５５ｃｍ以上の開口部（１）を設ける。そしてその開口部（１）から長方形状体の両短辺にむけて点線状に穴を設けた切り取り線（２）を設ける。また、点線状線の穴の大きさは長方形状体に使われる素材や厚みによって適宜調整し、手で点線を破けるように設ける。そして長方形状体の表面には職務内容を印刷し表示する。
本考案は、以上のような構成よりなる使い捨てベストである。
【考案の効果】
【０００５】  本考案の使い捨てベストは、鳥インフルエンザや新型インフルエンザのような感染症対策に使用する使い捨ての感染防護衣の上から着用することで、職務の表示が可能となる。感染防護衣を着る際はゴーグルやマスクを着用するので、着用者が医者なのか看護婦なのかが第三者からわからないだけでなく、感染防護衣を着ている人同士でも誰なのかがわからなくなり業務に支障が出てしまう。にもかかわらず、感染防護衣は有事に対し備蓄をしているが職務毎に何着必要かが不明なため印刷を施した物を備蓄できていない。また、備蓄準備時には職務表示が必要だと気付かずに購入してしまっている所が多く、訓練をやってはじめて気が付く現状である。そして、既製品の感染防護衣に印刷を施すには手間がかかり、印刷を施してしまうと違う職務では使用できないといった問題点もある。しかし、本考案の使い捨てベストは不織布等の低価格素材を使用することで低コストな製作が実現でき、既成の感染防護衣を職務毎に識別させる為には最適である。また着用時は頭から被るが、感染防護衣を脱ぎ捨てる際には、不織布でできた使い捨てベストの前面切り取り線を両手で両側に開くことで簡単に破くことができ、顔に触れること無く脱ぐことが可能となり細菌やウィルス等の顔への付着を防げる。また、使い捨てベストは非着用時では平らなため印刷をしやすく各種職務の表示がしやすい。そして職務表示以外の部分にマジック等で名前を記入することもできる。
【考案を実施するための最良の形態】
【０００６】（イ）厚さ０．４ｍｍの合成繊維性の不織布を、長辺１０００ｍｍ前後、短辺４００ｍｍ前後の長方形に裁断もしくは抜く。
（ロ）長方形状体の中心部分に頭を通すための円形の開口部（１）を設ける。
（ハ）長方形状体短辺の中央付近から円形の開口部（１）の中央付近に、点線状の切り取り線（２）を設ける。
（ニ）点線状の切り取り線（２）は、生地の厚さにも寄るが、厚さ０．４ｍｍのポリエステル製不織布の場合は、７ｍｍの穴を３ｍｍ間隔であけた場合が、着用時の強度と脱ぐ時の切捨てやすさが一番適している。
（ホ）長方形状体の長辺四隅に不織布できた幅１５ｍｍ〜２０ｍｍのテープ（３）を３０ｃｍ〜４０ｃｍの長さで設ける。
（ヘ）長方形状体の開口部（１）を中心として対称となるように本体表面に印刷を施す。印刷は小ロットでも低価格で印刷ができるシルクスクリーン印刷が望ましい。
【実施例】
【０００７】  以下、本考案の実施例について説明する。
本考案は、感染防護衣を着用している上から、開口部（１）に頭部を通して着用し、長方形状体長辺四隅にあるテープ（３）を脇腹部分で前後のテープを結んで着用する。脱ぐ際は、顎の下の開口部（１）を両手で左右に開くことで、本体の切り取り線（２）から左右に二つに破け、顔に触れることなく脱ぐことが可能となる。また、前をファスナーで開閉する感染防護衣を着ている場合は、本考案の使い捨てベストの前面を破き、感染防護衣のファスナーをあけて一緒に脱ぐことも可能である。
【産業上の利用可能性】
【０００８】  本考案の使い捨てベストは、細菌やウィルス等の対策で活動する医療従事者や、保健所職員、消防職員、警察職員等が身に付ける使い捨て感染防護衣の上から、職務分担を表示するために着用し、活動後は感染防護衣と一緒に廃棄できる。
また、訓練や各種イベントなどの従事者用として利用もでき、廃棄する際に簡単に破けるので不正二次使用防止にも役立つ。
【図面の簡単な説明】
【０００９】
【図１】  本考案の斜視図である。
【図２】  本考案の上面図である。
【符号の説明】
【００１０】      １  開口部
２  切り取り線
３  テープ
【図１】
0003149043.tif 000003
【図２】
0003149043.tif 000004
(57)【要約】      （修正有）【課題】耐圧試験用管の密閉を目的に管端への装着が簡単に行え、閉止密閉精度を確実に有し、取り外しも容易で繰り返し使用可能で、さらに集積配管の個々に同時並列装着出来るコンパクトな耐圧試験用管閉止治具を提供する。【解決手段】耐圧試験用管の解放した片側の管端閉止密閉を目的に装着する冶具であって、３分割されたパイプチャックとパイプチャックを押すフランジ、パッキンを備えた管端閉止フランジを特徴とする冶具である。【選択図】図１
0003149070.tif 000002
【実用新案登録請求の範囲】
【請求項１】
耐圧試験用管の解放した片端の閉止を目的に装着する冶具であって
パイプチャックと前記パイプチャックを押すフランジとパッキンを備えた閉止フランジからなることを特徴とする耐圧試験用管閉止冶具
【請求項２】
前記パイプチャックは３分割されており耐圧試験用管接面に微細凹凸を有し、押しフランジ側にテーパー面を有することを特徴とする請求項１に記載の耐圧試験用管閉止冶具。
【考案の詳細な説明】
【技術分野】
【０００１】本考案は配管工事の耐圧（例：水圧）試験用管端閉止装置冶具に関する。
【背景技術】
【０００２】従来においては耐圧試験を行う場合  図３のａに示すように耐圧試験用管１３の管端に閉止板１４  を溶接又図３のｂ  に示すように耐圧試験用管１５  の管端に座板１６とネジソケット１７  を溶接及び図３のｃに示すように耐圧試験用管１８  に座付きネジソケットを溶接して閉止密閉して加圧（例：水圧）試験を行い、試験終了後に同部を切断除去し仕上げを行っていた。
【先行技術文献の開示】
［実開平５−５７５９３］
【考案の開示】
【考案が解決しようとする課題】
【０００３】耐圧試験用管の管端への装着が簡単に行え閉止密閉精度を確実に有すること
取り外しも容易で繰り返し使用可能な軽便冶具であること、
さらに集積配管の個々に同時並列装着出来るコンパクト型として提供することである。
【課題を解決するための手段】
【０００４】本考案は
（１）耐圧試験用管の解放した管端の閉止を目的に装着する冶具であって
パイプチャックと前記パイプチャックを押すフランジとパッキンを備えた
閉止フランジを特徴とする冶具
（２）前記パイプチャックは３分割されており内部に微細凹凸を有する
押しフランジ側はテーパー面を有することを特徴とする（１）に記載の
耐圧試験用管管端閉止冶具からなる。
【考案の効果】
【０００５】耐圧試験用管に耐圧試験用管端閉止冶具を溶接にて取り付ける場合はその作業の他に電源や溶接設備の準備と試験検査終了後の溶接部の除去や跡部の仕上げに要する時間が多くかかる、又集積配管では近接する管相互の狭隘間での極めて困難な作業である。この考案冶具を使用することで耐圧試験用管に耐圧耐圧試験管端閉止冶具溶接作業などすること無く簡単短時間に装着、耐圧試験検査、冶具取り外しが行え資機材と作業時間の短縮で耐圧試験が総合的に高能率効果的である。
【考案を実施するための最良の形態】
【０００６】図１における  耐圧試験用管１  にパイプチャック２  チャクスプリング３  押しフランジ４．押しフランジ５  フランジスプリング６  ナット７．ボルト８  で構成される冶具をはめ込み  ナット７  を締めることで押しフランジ４  押しフランジ５  が寄り合い３分割のパイプチャック２  が収縮して耐圧試験用管１に固定される
次にパッキン１１  を備えた閉止フランジ９  を管端に当てナット１０  を加圧継ぎ手１２  から加圧（例：水圧）を行い耐圧試験検査をする
試験検査終了後は固定手順の逆を行うことでチャックスプリング３  とフランジスプリング６  が発條効果して冶具は耐圧試験管１  から解放取外される。【０００７】図２における  耐圧試験用管１  に３分割されたパイプチャク２  が押しフランジ４  が寄り合うことで  収縮して固定される、
試験終了後は固定手順の逆の手順を行うことで  チャックスプリング３  に発條効果が発生して耐圧試験用管から解放取り外される。
【図面の簡単な説明】
【０００８】
【図１】本考案の実施例を示す構造断面図
【図２】図１のＡ−Ａ線における断面図
【図３】従来の方法を示す説明図
【符号の説明】
【０００８】図１において
１  耐圧試験用管
２  パイプチャック
３  チャックスプリング
４  押しフランジ
５  押しフランジ
６  フランジスプリング
７  ナット
８  ボルト
９  閉止フランジ
１０  ナット
１１  パッキン
１２  加圧用継ぎ手
図２において
１  耐圧試験用管
２  パイプチャック
３  チャックスプリング
４  押しフランジ
図３において
ａ  １３  耐圧試験用管
１４  閉止板
ｂ  １５  耐圧試験用管
１６  座板
１７  ネジソケット
ｃ  １８  耐圧試験用管
１９  座付きネジソケット
【図１】
0003149070.tif 000003
【図２】
0003149070.tif 000004
【図３】
0003149070.tif 000005
(57)【要約】      （修正有）【課題】板金錨本体に緩みずれを防ぐ突起を設け、湖水に備え付けの固定用ロープに固定したボートが、左右に向きの変わる緩みずれを防ぐことを可とする突起付き板金錨を提供する。【解決手段】金属素材の板金錨本体１の内側に緩み・ずれを防止する突起２を設け、かつ、該板金錨本体１の上部にロープを締結するための取り付けリング３を係合させる。取り付けリング３に、ボートロープ４を結え、ボートにしばる。板金錨本体１は、ボートの左側と右側と背面の固定用ロープ３箇所に取りつけてボートを固定する。【選択図】図１
0003149063.tif 000002
【実用新案登録請求の範囲】
【請求項１】
板金錨本体に突起を設け、前記板金錨本体の上部に取り付けリングを設け、前記取り付けリングにボートロープを設けた突起付き板金錨。
【考案の詳細な説明】
【技術分野】  本考案は、板金錨本体に突起を設けた板金錨に関する。
【背景技術】  従来、湖水のボート釣りで、湖水に張ってある備え付けの固定用ロープにボートを固定して釣りをする場合、固定用ロープに止めロープでしばるか、または錨型金具を使う。
【考案の開示】
【考案が解決しようとする課題】  しかし、止めロープのしばり方や錨型金具の不具などは、風のあおりで緩みずれをおこし、ボートが左右に向きの変わる問題があった。よって、板金錨本体に緩みずれを防ぐために突起を設け問題を解決しようとするものである。
【課題を解決するための手段】  本考案は、板金錨本体に突起を設け、前記板金錨本体の上部に取り付けリングを設け、前記取り付けリングにボートロープを設けたものである。
【考案の効果】  上述の様に、本考案の板金錨本体に緩みずれを防ぐ突起を設けることにより、風のあおりでボートが左右に向きの変わるのを防ぐことに役立つ。また、水中に手を入れないでボートロープを手にして、固定用ロープに引っかけ取り付けの効果も発揮するものである。
【考案を実施するための最良の形態】  板金錨本体に緩みずれを防ぐ突起を設け、板金錨本体の上部に取り付けリングを設けて、ボートにしばるボートロープを設ける。板金錨本体は、従来のようにボートの左側と右側と背面の固定用ロープ３箇所に取り付けてボートを固定する。
【実施例】  以下、添付図面にしたがって一実施例を説明する。１は金属素材の板金錨本体に緩みずれを防ぐ突起２を設ける。２は板金錨本体１の上部にロープの取り付けリング３を設ける。３は取り付けリングにボートロープ４を設けボートにしばる。
【図面の簡単な説明】
【図１】本考案の突起付き板金錨の実施例を示す斜視図である。
【符号の説明】
１、板金錨本体
２、突起
３、取り付けリング
４、ボートロープ
【図１】
0003149063.tif 000003
(57)【要約】      （修正有）【課題】使用後の乾燥が早く、雑菌やカビの繁殖をおさえることができるフェイスブラシを提供する。【解決手段】フェイスブラシの毛束の接着面より上に穴のあいたハンドルに毛束を固着することにより、毛の根元にたまる水分が穴から多く蒸発して乾燥を早め、雑菌、カビの発生するおそれを少なくすることができ、安全な洗顔を行うことができる。【選択図】図１０
0003149064.tif 000002
【実用新案登録請求の範囲】
【請求項１】
毛束部を接合するハンドルに水抜きの穴をあけたフェイスブラシ。
【考案の詳細な説明】
【技術分野】
【０００１】本考案は顔を洗うためのフェイスブラシに関するものである。
【背景技術】
【０００２】従来の獣毛、合成繊維の毛の毛束を接合したフェイスブラシは［図１］のように毛を帯状のもので巻き、底面を接着剤で固着した毛束か、［図２］のような皿状のものに［図３］毛を接着して［図４］のように固着した毛束を作り、これを［図５］のハンドルに接合して作られている。［図６］は従来のフェイスブラシの斜視図である。［図７］は従来のフェイスブラシの側面図である。
【考案の開示】
【考案が解決しようとする課題】
【０００３】従来のフェイスブラシ［図６］は［図４］の毛束か［図１］の毛束を［図５］のハンドルに固着してできている。従来のフェイスブラシを使用すると、毛束の毛と毛の間に水分がたまり、さらにこの水分がハンドル内部にたまって、なかなか乾燥せず、雑菌、カビが繁殖しやすい状態になっている。
【課題を解決するための手段】
【０００４】［図１０］が本考案の斜視図であり、［図９］が本考案の側面図である。［図８］が本考案に使用するハンドルである。［図８］の本考案のハンドルには穴があけてあり、この［図８］のハンドルに［図１］や［図４］の毛束を固着する。穴の位置は毛束の接着面から、Ｃの長さより上にあけられる。［図１］の毛束の帯の幅がＡであり、［図２］の毛束の皿の高さがＢである。Ｃの大きさはＣ＞Ａ、またはＣ＞Ｂで、穴は毛束の側面に接していて、皿の高さや帯の高さより上にあり、空気が直接毛束の毛に触れる。
【考案の効果】
【０００５】本考案のフェイスブラシは［図１０］のように、穴は毛束の側面に接しており、従来のフェイスブラシ［図６］より、通気性が非常に大きくなり、従来のフェイスブラシより乾燥が早く、雑菌、カビの繁殖を従来のフェイスブラシよりおさえることができる。
【実施例】
【０００６】［図１０］のように本考案は外部より、毛束根元部に空気穴があり、水分がこの穴より蒸発していく。
【産業上の利用可能性】
【０００７】従来のフェイスブラシに比べて、使用後の水分がはやく蒸発するので、雑菌、カビの繁殖が少なくなり、安全な洗顔を行うことができる。
【図面の簡単な説明】
【０００８】
【図１】毛束を帯状のもので巻き接着剤で固着した毛束の斜視図
【図２】毛束を固着するための皿状体の斜視図
【図３】［図２］の皿状体に固着するための毛束の斜視図
【図４】［図２］の皿状体に［図３］の毛束を固着した毛束の斜視図
【図５】従来のフェイスブラシのハンドルの斜視図
【図６】毛束を固着した従来のフェイスブラシの斜視図
【図７】従来のフェイスブラシの側面図
【図８】本考案に使用するフェイスブラシのハンドルの斜視図
【図９】本考案のフェイスブラシの側面図
【図１０】本考案のフェイスブラシの斜視図
【図１】
0003149064.tif 000003
【図２】
0003149064.tif 000004
【図３】
0003149064.tif 000005
【図４】
0003149064.tif 000006
【図５】
0003149064.tif 000007
【図６】
0003149064.tif 000008
【図７】
0003149064.tif 000009
【図８】
0003149064.tif 000010
【図９】
0003149064.tif 000011
【図１０】
0003149064.tif 000012
(57)【要約】【課題】自然石を利用しより自然な形状にしたクライミング・ホールドを提供すること及びそれを壁に固定するための構造を提供することを課題とする。【解決手段】  本考案は花崗岩や安山岩等の自然の石を、より自然な形状の石を選択し又は加工し、本体の中央部付近にはボルト等を通す孔が設けられ、壁側に固定する面を平面に加工し、本体の底面に緩衝材が取り付けられたことを特徴とする。【選択図】図１
0003149083.tif 000002
【実用新案登録請求の範囲】
【請求項１】
自然石を利用して本体とし、本体の中央部付近にはボルトを通す孔が設けられ、本体底面を平面に加工したあと、緩衝材が貼り付けられたことを特徴とする自然石によるクライミング・ホールド。
【請求項２】
緩衝材にゴムシートを使用したことを特徴とする請求項１記載の自然石によるクライミング・ホールド。
【考案の詳細な説明】
【技術分野】
【０００１】
本考案は自然石を利用したクライミング・ホールドに関する。
【背景技術】
【０００２】
近年、屋内や都市部の郊外等で、フリークライミングを行う施設が増えてきている。これらの施設では、樹脂製のクライミング・ホールドを壁や専用パネル等に固定し、クライミングの練習や体験等をなっている。
【０００３】
クライミングとは本来自然の山岳の岩肌を相手に人の手と足を用いて行うもので、クライミング・ホールドも自然石であることが望ましい。特開２００４−３１５９７９において、自然石をクライミング・ホールドに利用することが記載されているが、壁等に固定する方法には課題が残る。
【特許文献１】特開２００４−１２９９７２号
【考案の開示】
【考案が解決しようとする課題】
【０００４】
自然石を利用しより自然な形状にしたクライミング・ホールドを提供すること及びそれを壁に固定するための構造を提供することを課題とする。
【課題を解決するための手段】
【０００５】
本考案は花崗岩や安山岩等の自然の石を、より自然な形状の石を選択し又は加工し、本体の中央部付近にはボルト等を通す孔が設けられ、壁側に固定する面を平面に加工し、本体の底面に緩衝材が取り付けられたことを特徴とする。
【考案の効果】
【０００６】
自然石を利用し、自然な形状の石を選択すること、及び自然な形状に加工することで、より自然に近いクライミングを体験することが可能となる。クライミングの難易度を高めるために、本体を加工することも可能でクライマーの要望に合わせた様々な形状を提供することも可能である。
【０００７】
本体と壁等の間に緩衝材があることで、本体の固定強度が向上し、本体が回転する等の不具合を解消することが可能となる。
【考案を実施するための最良の形態】
【０００８】
本考案の構成について、実施例を基に図面を引用して説明する。
【実施例１】
【０００９】
図１は本考案の正面図であり、図２は平面図である。破線で示した部分が、ボルト等を挿入するための孔であり、本体中央部付近にドリル等でネジ部を貫通させる孔をあけ、ボルトの頭部にあたる部分を太めにあける。本体底面は、壁に固定する面であり、平面となるようグラインダー等で加工する。本体を構成する自然石には、花崗岩や安山岩等がある。
【００１０】
本体の底面には厚さ３〜５ｍｍ程度で、本体底面積の５０％を越える範囲で緩衝材を貼りつける。緩衝材の素材は耐久性と柔軟性を考慮すると、シート状のゴム系材が望ましいが、柔軟性を有する樹脂等でもよい。
【００１１】
図３は壁等に本体を取付けた状態の一例の断面図である。本体はボルト等で壁等に固定するが、本体と壁の間に緩衝材があることで、特に回転方向への固定強度が向上する。本体が大きい場合は、ボルトを２本利用してもよい。
【００１２】
本体は可能な限り自然の形状そのままを利用することとし、様々な形状を選択することが可能である。また、クライミングの難易度を高めるために、加工をすることも可能で、クライマーの要望に合わせた様々な形状を提供することも可能である。
【産業上の利用可能性】
【００１３】
この自然石を利用したクライミング・ホールドは工業生産が可能であり、あらたなクライミング施設のホールドとして、供給者において生産、販売が可能であり、クライミング施設での利用も可能である。
【図面の簡単な説明】
【００１４】
【図１】本考案の一例の正面図
【図２】本考案の一例の平面図
【図３】壁等に本体を取付けた状態の断面図
【符号の説明】
【００１５】
１  本体
２  ボルト挿入孔
３  緩衝材
４  ボルト
５  ナット
６  壁等
【図１】
0003149083.tif 000003
【図２】
0003149083.tif 000004
【図３】
0003149083.tif 000005